(57)【要約】【課題】  スイッチ軸の作動を阻害することなく、排水効率を向上させ、駆動部への排水の流入を防ぐことができる遠隔操作式排水栓装置を提供することを目的とする。【解決手段】  遠隔操作により弁体を昇降させて槽体底部の排水口を開閉させる遠隔操作式排水栓装置であって、手動による遠隔操作の入力を受け付ける手動スイッチ１１と、遠隔操作部からの動作指示により昇降するスイッチ軸１２と、弁体を昇降させるワイヤへスイッチ軸１２の昇降を伝達する駆動部１３と、駆動部１３の上端から上方へ突出しスイッチ軸１２の外周に沿って配置される圧入部２０と、圧入部２０に収容され、駆動部１３への排水の流入を防ぐ止水パッキン２６と、圧入部２０に圧入され、止水パッキン２６を圧入部２０内に抑止させるストッパー２１と、止水パッキン２６とストッパー２１との間に介在するスペーサー２５とを備える。【選択図】図４
2018193805.tif 000002
【特許請求の範囲】
【請求項１】
遠隔操作により弁体を昇降させて槽体底部の排水口を開閉させる遠隔操作式排水栓装置であって、
遠隔操作の入力を受け付ける遠隔操作部と、
遠隔操作部からの動作指示により昇降するスイッチ軸と、
前記弁体を昇降させるワイヤへスイッチ軸の昇降を伝達する駆動部と、
前記駆動部の上端に前記スイッチ軸の外周に沿って配置される圧入部と、
前記圧入部に収容され、前記駆動部への排水の流入を防ぐ止水パッキンと、
前記圧入部に圧入され、前記止水パッキンを前記圧入部内に抑止させるストッパーとを備える
ことを特徴とする遠隔操作式排水栓装置。
【請求項２】
さらに、前記止水パッキンと前記ストッパーとの間に介在するスペーサーを備える
ことを特徴とする請求項１記載の遠隔操作式排水栓装置。
【請求項３】
前記圧入部は、
前記駆動部の上端から上方へ突出した側壁と、側壁を縦方向に切り欠いて形成される切欠部とを備える
ことを特徴とする請求項１又は２記載の遠隔操作式排水栓装置。
【請求項４】
前記ストッパーは、
リング形状の本体部と、本体部から外側へ周方向に連続して突出する係止部とから構成され、
前記係止部は、前記ストッパーが前記圧入部に圧入されたときに前記圧入部の内側に食い込んで前記ストッパーを係止する
ことを特徴とする請求項１〜３のいずれか１項に記載の遠隔操作式排水栓装置。
【請求項５】
前記係止部の先端は、上方へ指向している
ことを特徴とする請求項４記載の遠隔操作式排水栓装置。
【発明の詳細な説明】
【技術分野】
【０００１】
本発明は、洗面台や浴槽等の槽体の排水口を、遠隔的に開閉操作する遠隔操作式排水栓装置に関するものである。
【背景技術】
【０００２】
洗面台や浴槽などの槽体の排水口を、排水口に直接手を触れることなく、槽体の近傍に設けられた操作部に操作を加えることで遠隔的に開閉操作する遠隔操作式排水栓装置が知られている。遠隔操作式排水栓装置では、スラストロック機構部等の駆動部内に操作部から排水が流入することがあり、排水中のゴミや汚れ、洗剤等によって故障や誤作動を引き起こすことがある。そのため、スラストロック機構部等の駆動部上方に蛇腹状のパッキンを配置し、遠隔操作式排水栓装置の操作部側から、レリースワイヤや押上部内の内部に排水が流入することを防ぐ技術が開示されている（例えば、特許文献１参照。）。
【先行技術文献】
【特許文献】
【０００３】
【特許文献１】特開２００４−１５００６５号公報
【発明の概要】
【発明が解決しようとする課題】
【０００４】
しかしながら、上記従来の蛇腹状のパッキンでは、パッキンの外周に排水中のゴミや汚れが溜まり、下方への圧縮が不十分であったり、経年劣化によりパッキンが硬化してしまい圧縮および伸張が不完全になってしまうことがある。その結果、操作部側からレリースワイヤへ昇降動作を伝達するスイッチ軸の作動が阻害され、排水口の開閉ができなくなる場合がある。また、蛇腹状のパッキンが障害となって、駆動部上端付近の通水面積が狭くなって、排水効率を悪化させるという問題もある。
【０００５】
そこで、本発明は、このような問題に鑑みなされたものであり、スイッチ軸の作動を阻害することなく、排水効率を向上させ、駆動部への排水の流入を防ぐことができる遠隔操作式排水栓装置を提供することを目的とする。
【課題を解決するための手段】
【０００６】
上記の課題を解決するため、本発明に係る遠隔操作式排水栓装置は、遠隔操作により弁体を昇降させて槽体底部の排水口を開閉させる遠隔操作式排水栓装置であって、遠隔操作の入力を受け付ける遠隔操作部と、遠隔操作部からの動作指示により昇降するスイッチ軸と、前記弁体を昇降させるワイヤへスイッチ軸の昇降を伝達する駆動部と、前記駆動部の上端に前記スイッチ軸の外周に沿って配置される圧入部と、前記圧入部に収容され、前記駆動部への排水の流入を防ぐ止水パッキンと、前記圧入部に圧入され、前記止水パッキンを前記圧入部内に抑止させるストッパーとを備えることを特徴とする。
【０００７】
これにより、駆動部の上端の圧入部周囲の通水面積を広く確保することができるので、スイッチ軸の作動を阻害することがなく、排水効率を向上させることができ、駆動部内への水の流入を防ぐことが可能となる。
【０００８】
ここで、前記止水パッキンと前記ストッパーとの間に介在するスペーサーを備えるのが好ましい。
【０００９】
これにより、スイッチ軸が傾いてもストッパーに当接しないように、その傾きを抑えられるので、ストッパーがスイッチ軸と干渉してスイッチ軸の作動を阻害することがなく、スイッチ軸を傷つけるおそれのない遠隔操作式排水栓装置が実現される。
【００１０】
また、前記圧入部は、前記駆動部の上端から上方へ突出した側壁と、側壁を縦方向に切り欠いて形成される切欠部とを備えるのが好ましい。
【００１１】
これによれば、圧入部内に水が溜まることなく排出されるので、水が圧入部内に滞留して駆動部へ流れ込むことがなく、排水中のゴミ等の異物が圧入部内に堆積することを防止することができる。
【００１２】
ここで、前記ストッパーは、リング形状の本体部と、本体部から外側へ周方向に連続して突出する係止部とから構成され、前記係止部は、前記ストッパーが前記圧入部に圧入されたときに前記圧入部の内側に食い込んで前記ストッパーを係止するのが好ましく、さらには、前記係止部の先端は、上方へ指向しているのがより好ましい。
【００１３】
これによれば、突出した係止部でストッパーを圧入部に係止させるので、止水パッキンを確実に圧入部内に抑止することができる。また、係止部の先端が上方へ指向していることで、圧入時の抵抗を抑えて圧入しやすいようになっている。
【発明の効果】
【００１４】
以上のように、本発明に係る遠隔操作式排水栓装置によれば、駆動部の上端に圧入部を形成し、圧入部に止水パッキンとストッパーとを収容することにより、駆動部内への水の流入を防ぐとともに、駆動部の上端周囲の通水面積を広く確保するので、スイッチ軸の作動を阻害することがなく、排水効率を向上させることが実現可能となる。
【図面の簡単な説明】
【００１５】
【図１】遠隔操作式排水栓装置の平面図である。
【図２】図１のＡ−Ａ線断面図である。
【図３】図２のＢ−Ｂ線断面図である。
【図４】手動操作部の拡大断面図である。
【図５】圧入部付近の拡大断面図である。
【図６】ストッパーの斜視図である。
【図７】ストッパーの平面図である。
【図８】図７のＣ−Ｃ線断面図である。
【図９】図２のＢ−Ｂ線断面を拡大して示す斜視図である。
【図１０】図３のＤ−Ｄ線断面を拡大して示す斜視図である。
【図１１】図１のＥ−Ｅ線断面を拡大して示す斜視図である。
【図１２】図１のＥ−Ｅ線断面の拡大図である。
【図１３】手動操作式の遠隔操作式排水栓装置における手動操作部の拡大断面図である。
【図１４】図１３の圧入部付近の拡大断面図である。
【発明を実施するための形態】
【００１６】
以下、本発明に係る遠隔操作式排水栓装置について図を参照しながら説明する。
【００１７】
図１は遠隔操作式排水栓装置の平面図であり、図２はＡ−Ａ線断面を示す図である。図３は図２のＢ−Ｂ線断面を示す図である。
【００１８】
本実施形態に係る遠隔操作式排水栓装置１は、洗面台や浴槽等の槽体の排水口を、遠隔的に開閉操作する装置であり、槽体４の底部にある排水口５内に設けられた弁体６と、弁体６に接続され内部のインナーワイヤーの進退により弁体６を昇降させるワイヤ１５と、手動操作および電動操作のいずれかの操作入力により昇降するスイッチ軸１２の動きをワイヤ１５へ伝達する駆動部１３と、駆動部１３を収容する駆動部収納部１４と、駆動部１３の上端に圧入部２０とを備えている。
【００１９】
手動スイッチ１１は、手動による遠隔操作の入力を受け付け、手動操作の入力によりスイッチ軸１２を昇降させる。遠隔操作部の一つである手動操作部である手動スイッチ１１は、遠隔操作式排水栓装置１の上面に配置され、槽体が浴槽の場合は、浴槽の上縁に配置される。以下では、槽体が浴槽の場合を例に挙げて説明する。
【００２０】
スイッチ軸１２は、手動スイッチ１１の操作により昇降し、また、電動操作によっても昇降する軸部材であり、その昇降の動きが駆動部１３を介してワイヤ１５へ伝達される。
【００２１】
駆動部１３は、スイッチ軸１２の動きをワイヤ１５へ伝達する機構部である。駆動部１３は、手動スイッチ１１を押下する操作によりスイッチ軸１２を昇降させ、その動きをワイヤ１５へ伝達する。手動操作の場合、駆動部１３はワイヤ１５の前進／後退を保持するスラストロック機構部により構成される。電動操作によりスイッチ軸１２を昇降させる場合は、モーターの回転をラックとピニオンギアとで構成されるギア部によってスイッチ軸１２を昇降させる動力に変換する電動部材により構成される。
【００２２】
駆動部収納部１４は、駆動部１３を収容する収納部である。水が流入することで、水に含まれるゴミやヌメリ成分がスイッチ軸１２の動きを阻害することがある。駆動部収納部１４は、駆動部１３を収容して外部から水や異物が入らないようにするためのものである。
【００２３】
圧入部２０は、駆動部１３の上端にスイッチ軸１２の外周に沿って配置され、駆動部１３への排水の流入を防ぐ止水パッキン２６やストッパー２１等を収容するための空間を有する収容部である。圧入部２０の中心をスイッチ軸１２が上下動自在に貫通しており、その周囲にストッパー２１が圧入されている。また、圧入部２０は駆動部１３の上端から上方へ突出した側壁２７が形成され、この側壁２７に切欠部２８が形成されている。切欠部２８については後に詳述する。
【００２４】
図４は、手動スイッチ１１付近の拡大断面図である。図５は、圧入部２０付近をさらに拡大して示す断面図である。
【００２５】
遠隔操作式排水栓装置１は、手動スイッチ１１を押下する手動操作の入力または浴室外（例えば、台所）に設置された電動操作部からの電動操作の入力によりスイッチ軸１２を昇降させ、駆動部１３を介してワイヤ１５へ上下動を伝達し、弁体６を昇降させる。
【００２６】
圧入部２０の底部、すなわち、駆動部１３との境界部分には、Ｏリング等の止水パッキン２６が配置されており、その上に合成樹脂製のリング部材であるスペーサー２５を介在させ、スペーサー２５の上にストッパー２１が圧入されている。この止水パッキン２６により、駆動部１３内部へ水が流入することが防がれており、水が流入することによる駆動部１３の故障や誤作動が防止される。
【００２７】
スイッチ軸１２が軸ズレして傾くとストッパー２１がスイッチ軸１２と干渉してスイッチ軸１２の作動を阻害するおそれがある。特にストッパー２１が金属製である場合は、ストッパー２１がスイッチ軸１２と干渉してスイッチ軸１２を傷つけるおそれがある。そのため、スペーサー２５をストッパー２１の下に配置させて、ストッパー２１と止水パッキン２６との間に介在させることが好ましい。スイッチ軸１２が傾いてもストッパー２１に当接することがないようスペーサー２５によって、その傾きが抑えられるからである。
【００２８】
駆動部１３の上端を水密状態とするのは止水パッキン２６に依る。ストッパー２１は、止水パッキン２６の抜け止めとして機能する。すなわち、ストッパー２１は圧入部２０内に止水パッキン２６を抑止するために圧入部２０に圧入されているものである。このとき、ストッパー２１の中央は、スイッチ軸１２を貫通させているため、止水パッキン２６が経年劣化により硬化してもスイッチ軸１２の作動を阻害することがない。また、従来の蛇腹状のパッキン等で止水する場合と異なり、駆動部１３の上端である圧入部２０周囲の通水面積を広く確保することができるので、排水効率を向上させることもできる。
【００２９】
ストッパー２１と切欠部２８について説明する。
【００３０】
図６はストッパー２１の斜視図であり、図７はストッパー２１の平面図である。図８は図７のＣ−Ｃ線断面図である。
【００３１】
ストッパー２１は、金属製または合成樹脂製のリング部材であり、圧入部２０に圧入されることにより、止水パッキン２６を圧入部２０内に押さえておき、駆動部１３への排水の流入を防ぐ。ストッパー２１は、リング形状のストッパー本体部２２と、ストッパー本体部２２から外側へ周方向に連続して突出する係止部２３とから構成される。
【００３２】
ストッパー本体部２２の中央部はスイッチ軸１２を貫通させるために開口されている。
【００３３】
係止部２３は、ストッパー２１が圧入部２０に圧入されたときに、圧入部２０の内側に食い込ませてストッパー２１を係止させるツメ部材である。係止部２３の先端である係止部端部２４は上方へ指向しており、圧入時の抵抗を抑えて圧入しやすいように構成されている。
【００３４】
図９は、図２のＢ−Ｂ線断面を拡大して示す斜視図であり、図１０は図３のＤ−Ｄ線断面を拡大した斜視図である。図１１は図１のＥ−Ｅ線断面を拡大した斜視図であり、図１２は図１のＥ−Ｅ線断面の拡大図である。
【００３５】
切欠部２８は、圧入部２０の側壁２７を縦方向に切り欠いて形成されている。図１１および図１２に示すように、切欠部２８は、切欠底部２９がスペーサー２５の底面と面一になる深さまで側壁２７を切り欠くことで形成されている。
【００３６】
ここでは、対向する位置に２つの切欠部２８が形成されている例を図示しているが、ストッパー２１の係止部２３が食い込む領域が確保されていれば切欠部２８の数や幅、位置は適宜調整して差し支えない。また、切欠部２８の深さも止水パッキン２６の上面よりも上に切欠底部２９が位置していれば、その深さは適宜調整して差し支えない。
【００３７】
切欠部２８が圧入部２０の側壁２７に形成されていることで、圧入部２０内に溜まる水が排出されるので、水が圧入部２０内に滞留して駆動部１３へ流れ込むことがなく、排水中のゴミ等の異物が圧入部２０内に堆積することを防止することができる。
【００３８】
なお、ここでは、手動操作および電動操作のいずれの操作入力も受け付ける遠隔操作式排水栓装置１を説明したが、手動操作のみを受け付ける遠隔操作式排水栓装置でも同様の構成を用いることができる。
【００３９】
図１３は手動操作式の遠隔操作式排水栓装置における手動操作部の拡大断面図であり、図１４は図１３の圧入部付近の拡大断面図である。
【００４０】
遠隔操作式排水栓装置２は、手動スイッチ３１による手動操作のみを受け付け、手動スイッチ３１を押下する操作によりスイッチ軸３２を昇降させ、スラストロック機構部の駆動部３３を介してワイヤ３５へ上下動を伝達し、弁体６を昇降させる手動操作式の遠隔操作式排水栓装置である。
【００４１】
遠隔操作式排水栓装置２においても、上記の遠隔操作式排水栓装置１の場合と同様に、駆動部３３の上端に圧入部２０を形成し、圧入部２０に止水パッキン２６とストッパー２１とを収容することで、駆動部３３内へ水が流入することを防ぐことができる。また、駆動部３３の上端周囲の通水面積を広く確保するので、スイッチ軸３２の作動を阻害することがなく、排水効率を向上させることもできる。
【００４２】
以上、本発明に係る遠隔操作式排水栓装置について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００４３】
例えば、上記実施の形態では、槽体が浴槽の場合を例に挙げて説明したが、槽体は浴槽に限られるものではなく、洗面台やシンクなどであってもよい。
【産業上の利用可能性】
【００４４】
本発明は、洗面台や浴槽等の槽体の排水口を、遠隔的に開閉操作する遠隔操作式排水栓装置として有用である。
【符号の説明】
【００４５】
１，２    遠隔操作式排水栓装置
４    槽体
５    排水口
６    弁体
１１，３１    手動スイッチ
１２，３２    スイッチ軸
１３，３３    駆動部
１４    駆動部収納部
１５，３５    ワイヤ
２０    圧入部
２１    ストッパー
２２    ストッパー本体部
２３    係止部
２４    係止部端部
２５    スペーサー
２６    止水パッキン
２７    側壁
２８    切欠部
２９    切欠底部
【図１】
2018193805.tif 000003
【図２】
2018193805.tif 000004
【図３】
2018193805.tif 000005
【図４】
2018193805.tif 000006
【図５】
2018193805.tif 000007
【図６】
2018193805.tif 000008
【図７】
2018193805.tif 000009
【図８】
2018193805.tif 000010
【図９】
2018193805.tif 000011
【図１０】
2018193805.tif 000012
【図１１】
2018193805.tif 000013
【図１２】
2018193805.tif 000014
【図１３】
2018193805.tif 000015
【図１４】
2018193805.tif 000016